(57)【特許請求の範囲】
【請求項１】
保護継電器と保護継電器試験装置との間にコネクタ接続によって介在し、前記保護継電器の種類や試験要素に応じて切替自在に接続する切替手段を備えた保護継電器試験用切替装置において、
前記保護継電器試験用切替装置は、前記保護継電器を所定位置に受け入れる受入手段を有する装置枠体と、
前記保護継電器が受け入れられた状態で当該保護継電器の外部接続コネクタ端子と接続可能に前記装置枠体側に設けられた装置枠体側コネクタ端子と、
前記保護継電器の外部接続コネクタ端子と装置枠体側コネクタ端子とが接続された状態で保護継電器を装置枠体にネジ止め固定可能に前記装置枠体に設けられたツマミネジ固定手段とを備えたことを特徴とする保護継電器試験用切替装置。
【請求項２】
保護継電器の機種や試験要素毎に入出力信号を切替えるに必要な各種スイッチが配設された操作盤面と、当該操作盤面に被さるように取外し自在に置かれる板状部材であって、前記各種スイッチのスイッチ操作に支障のないよう予め刳り貫き穴が設けられ、前記保護継電器の種類及び試験要素毎の切替操作情報が１枚毎に記載された複数枚の要素切替名板とを備えたことを特徴とする請求項１に記載の保護継電器試験用切替装置。
【請求項３】
操作盤面には、保護継電器の機種や試験要素毎に一括して入出力信号を切替えるロータリースイッチやトグルスイッチを配設したことを特徴とする請求項２に記載の保護継電器試験用切替装置。
【請求項４】
保護継電器の機種や試験要素毎に入出力信号を切替えるに必要な各種スイッチが配設された操作盤面と、当該操作盤面に被さるように取外し自在に置かれる板状部材であって、前記各種スイッチのスイッチ操作に支障のないよう予め刳り貫き穴が設けられ、前記保護継電器の種類及び試験要素毎の切替操作情報が１枚毎に記載された複数枚の要素切替名板とを備えた保護継電器試験用切替装置の切替操作方法において、
前記複数枚の要素切替名板のうちから試験対象となる保護継電器用の要素切替名板を選択して前記操作盤面に被せ、
当該要素切替名板に記載の切替操作情報に基づいて前記操作盤面に配設された所要のスイッチ操作を行うことを含むことを特徴とする保護継電器試験切替装置の切替操作方法。
【発明の詳細な説明】
【０００１】
【発明の属する技術分野】
本発明は、配電変電所等で使用される系統保護用の継電器の動作特性を、保護継電器試験装置を用いて確認する点検作業において、前記系統保護用の継電器と保護継電器試験装置との接続及びその切り換えを仲介し、複合要素を備えた前記系統保護用の継電器の単体試験を容易にする保護継電器試験用切替装置及びその切替操作方法に関する。
以下、前記の系統保護用の継電器を保護継電器、保護継電器試験装置を試験装置、保護継電器試験切替装置を切替装置ともいう。
【０００２】
【従来の技術】
従来の切替装置を図７及び図８に基づいて説明する。図７は切替装置の接続状態の外観を示す斜視図、図８はその試験回路図である。図７及び図８において、１は試験装置、２は切替装置、４は試験される保護継電器である。
切替装置２は、多数の電流・電圧入力スイッチ２１が装置基板に配設されただけの構成であり、試験装置１及び保護継電器４には各々電線６、６にて接続されていた。
【０００３】
この従来の切替装置の動作を説明する。
先ず、図８の試験回路において、保護継電器４の機種毎にある継電器側コネクタ端子５に、切替装置２の可動側コネクタ端子３を挿入して接続する。
次に、所要の試験要素の試験回路を切替装置２の電流・電圧入力スイッチ２１で適宜切り替える。
然る後、試験装置１から試験電源（電流・電圧）を保護継電器４に印加し、その入力に対する本体（図示せず）からの動作出力を前記試験装置１で取り込んで、基本動作時間データと比較計測し、これによって、動作特性の正否を判断する。
【０００４】
【発明が解決しようとする課題】
しかし、従来の切替装置や切替操作方法では、複数の継電器側コネクタ５ヘの差し替え作業を、試験対象となる保護継電器４の機種毎にその都度行わねばならない。又、該当試験要素への試験電流や電圧入力操作は、操作する手元から視線を外して別途に用意された要素回路図等を見ながら、各種の電流・電圧入スイッチ２１による複雑な切替操作を行わねばならず極めて煩雑であった。しかも、それだけではなく、所要の配線処理作業も行わねばなかなかった。
このように、切替操作が極めて複雑となるため、操作の信頼性や確実性が低くなるという問題があった。
【０００５】
本発明は、前記の諸問題を解消し、試験装置から保護継電器の動作特性を採るにあたっての、保護継電器との接続や当該保護継電器の種類や試験要素に応じた切替操作を容易にできる保護継電器試験用切替装置の提供を目的とする。
【０００６】
【課題を解決するための手段】
請求項１の発明は、保護継電器と保護継電器試験装置との間にコネクタ接続によって介在し、前記保護継電器の種類や試験要素に応じて切替自在に接続する切替手段を備えた保護継電器試験用切替装置において、
前記保護継電器試験用切替装置は、前記保護継電器を所定位置に受け入れる受入手段を有する装置枠体と、
前記保護継電器が受け入れられた状態で当該保護継電器の外部接続コネクタ端子と接続可能に前記装置枠体側に設けられた装置枠体側コネクタ端子と、
前記保護継電器の外部接続コネクタ端子と装置枠体側コネクタ端子とが接続された状態で保護継電器を装置枠体にネジ止め固定可能に前記装置枠体に設けられたツマミネジ固定手段とを備えたことを内容とする。
【０００７】
請求項２の発明は、請求項１の保護継電器試験用切替装置において、保護継電器の機種や試験要素毎に入出力信号を切替えるに必要な各種スイッチが配設された操作盤面と、当該操作盤面に被さるように取外し自在に置かれる板状部材であって、前記各種スイッチのスイッチ操作に支障のないよう予め刳り貫き穴が設けられ、前記保護継電器の種類及び試験要素毎の切替操作情報が１枚毎に記載された複数枚の要素切替名板とを備えたことを内容とする。
【０００８】
請求項３の発明は、請求項２に記載の保護継電器試験用切替装置において、操作盤面には、保護継電器の機種や試験要素毎に一括して入出力信号を切替えるロータリースイッチやトグルスイッチを配設したことを内容とする。
【０００９】
請求項４の発明は、保護継電器の機種や試験要素毎に入出力信号を切替えるに必要な各種スイッチが配設された操作盤面と、当該操作盤面に被さるように取外し自在に置かれる板状部材であって、前記各種スイッチのスイッチ操作に支障のないよう予め刳り貫き穴が設けられ、前記保護継電器の種類及び試験要素毎の切替操作情報が１枚毎に記載された複数枚の要素切替名板とを備えた保護継電器試験用切替装置の切替操作方法において、
前記複数枚の要素切替名板のうちから試験対象となる保護継電器用の要素切替名板を選択して前記操作盤面に被せ、
当該要素切替名板に記載の切替操作情報に基づいて前記操作盤面に配設された所要のスイッチ操作を行うことを含むことを内容とする。
【００１０】
【発明の実施の形態】
実施の形態１.
本発明の実施の形態を図１乃至図６に基づいて説明する。図１は切替装置と保護継電器及び試験装置との接続状態を示す斜視図、図２は切替装置の断面図、図３は試験装置との接続状態を示す斜視図、図４は受入手段の説明図、図５は切替装置の平面図、図６は試験回路図である。尚、以下の実施の形態において、従来技術で説明した図７及び図８と同じ符号は共通の内容である。
【００１１】
図１乃至図３において、切替装置（保護継電器試験用切替装置）２００は、試験装置（保護継電器試験装置）１と保護継電器（系統保護用継電器）４との間にコネクタ接続によって介在する。切替装置２００は、保護継電器４の種類や試験要素に応じて切替自在に接続する切替手段を備えた装置である。
図示の切替装置２００は、略箱状の装置枠体２０１を備え、試験装置１とは電線６を介して接続されている。図３に示すように、試験装置１と接続された電線６の試験電源コネクタ１２は装置枠体２０１のレセプタクル１３に接続されている。
他方、保護継電器４に対しては、当該保護継電器４を切替装置２００の装置枠体２０１に設けられた受入手段３０を介して、当該装置枠体２０１内の所定位置に受け入れた状態で接続される（図２）。
【００１２】
図１及び図２において、受入手段３０は、装置枠体２０１の一側面に設けられ、保護継電器４を出し入れ自在に受け入れる開口部３１と、当該開口部３１から挿入される保護継電器４を水平方向に滑り移動させるガイドレール３２、３２と、滑り移動してきた保護継電器４を停止させるストッパ３３等で構成されている。
保護継電器４を、その操作ハンドル４１を引いた状態（図示せず）で、前記ガイドレール３２、３２に沿わせてストッパ３３に当たるまで挿入する。
ストッパ３３に当った位置で、引いた操作ハンドル４１を緩めると、保護継電器４の下部側に上下動自在に設けられたに可動固定爪４２がガイドレール３２の停止位置に予め設けられていた爪固定溝３４に落ち込む。これにより、保護継電器４は所定位置に固定される。
尚、操作ハンドル４１は、引くと可動固定爪４２が上昇し、緩めると可動固定爪４２が降下するように連動させたものである。
【００１３】
図１及び図２において、保護継電器４が受入手段３０に受け入れられた状態で、保護継電器４の外部接続コネクタ端子としての継電器側コネクタ端子４３、４３、４３は、切替装置２００の可動側コネクタ端子として、装置枠体２０１に予め接続可能に設けられている装置枠体側コネクタ端子２０２と、２０２、２０２と接続する。
【００１４】
この保護継電器４と切替装置２００との接続はツマミネジ固定手段５０を介して行われる。
図１、図２及び図４において、ツマミネジ固定手段５０は、装置枠体２０１の側面側に装備されたコネクタ端子箱８を外部から貫通して、装置枠体２０１内の前記所定位置に挿入された保護継電器４の継電器側コネクタ端子４３，４３，４３側の、当該保護継電器４の側面に達するように、当該コネクタ端子箱８の長手方向両端側の２箇所にそれぞれ設けられた固定ネジ５１と、当該固定ネジ５１の後端部のネジツマミ５２と、保護継電器４の側面側に予め設けられたナット部５３、５３（図４）等で構成されている。
【００１５】
又、図４に示すように、コネクタ端子箱８の裏面側には、継続継電器側コネクタ端子４３、４３、４３と各々接続する装置枠体側コネクタ端子２０２、２０２、２０２が配設されている。
このように、ツマミネジ固定手段５０は、装置枠体２０１側に設けられており、保護継電器４の外部接続コネクタ端子４３、４３、４３と装置枠体側コネクタ端子２０２、２０２、２０２とが接続された状態にて、保護継電器４と装置枠体２０１即ち切替装置２００とをネジ止めにて固定する。
【００１６】
図１乃至図３において、操作枠体２０１の上面側には、保護継電器４の機種やその試験要素毎に入出力信号を切替えるに必要な各種スイッチが一箇所に集約的に配設された操作盤面６０が設けられており、切替手段としての各種スイッチとして例えば、保護継電器４の機種やその試験要素毎に一括して入出力信号を切替えることのできるロータリースイッチやトグルスイッチ等が配設されている。図２、図３、図５、図６において、１７は電流ロータリースイッチ、１８は電圧ロータリースイッチ、１９、１９、１９はトグルスイッチである。
尚、この操作盤面６０は、図２から理解できるように、通常、後述の試験要素切替名板１６で覆われている。
【００１７】
図２及び図５において、操作盤面６０には、当該操作盤面６０に被さるように取り外し自在に置かれる試験要素切替名板（以下、要素切替名板ともいう）１６が装備されている。
要素切替名板１６は、操作盤面６０上に配設された各種スイッチ１７、１８、１９等のスイッチ操作に支障のないよう予め刳り貫き穴６１が設けられた板状部材であり、当該板面に、対応する保護継電器４の種類や試験要素に応じて、各スイッチ毎の切替操作指示が表記されたものである。
【００１８】
この要素切替名板１６は、保護継電器４毎に対応して作成され、所要枚数分が装置枠体２０１に設けられたブラケット２０に綴られている。
従って、操作者は、操作盤面６０に所要の要素切替名板１６を選択して被せることにより、従来のように別の視線角度で要素回路図を見ながらでの複雑なスイッチ作業を行う必要が無く、保護継電器の機種及び試験要素毎のスイッチ切替位置や操作内容を、当該要素切替名板１６で指示する切替操作情報に基づいて、各種スイッチの切替作業を行うことができる。
【００１９】
次に、試験回路の構成手順を説明する。
１）第１工程
先ず、切替装置２００の所定位置に保護継電器４をセット（固定）する。
２）第２工程
次に、ネジツマミ固定手段５０により、切替手段２００の可動側コネクタ端子２０２と保護継電器４の継電器側コネクタ端子４３とを接続する。
３）第３工程
最後に、切替装置２００の制御電源入力用端子１１に電源ＤＣ１１０Ｖを接続して、試験装置１と切替装置２００の試験電源コネクタ１２を装置側レセプタクル１３に接続する。これにより、試験回路が構成でき、試験が可能となる。
【００２０】
次に、試験手順について説明する。
１）第１工程
先ず、切替装置２００の操作盤面６０上に、試験対象の保護継電器４の機種に応じた要素切替名板１６を選択して被せる。
２）第２工程
次に、切替装置２００の電源スイッチ１４を投入して、電圧計１５で電源印加を確認する。
３）第３工程
次に、保護継電器４の試験対象要素に応じて、電流ロータリースイッチ１７、電圧ロータリースイッチ１８や、トグルスイッチ１９、１９、１９、１９等の各種スイッチを、要素切替名板１６の指示に従って指示位置に切替える。
４）第４工程
次に、試験装置１から切替装置２００を介して保護継電器４に試験電圧、電流を印加して、この入力に対する保護継電器４からの動作出力信号を試験装置１に再度取り込んで、動作特性データを採る。
５）第５工程
このデータを、基本動作時間データと比較計測し、これによって、動作特性の正否を判断する。
【００２１】
【発明の効果】
請求項１乃至請求項４の発明によれば、何れも、保護継電器単体の動作特性試験をするにあたって、試験装置（電力継電器試験装置）と被試験器（保護継電器）の接続や試験要素に応じての入出力切替操作が容易となり、試験作業の簡素化、確実化が図れ、信頼性及び作業性を向上させることができる。
【００２２】
又、請求項１の発明によれば、受入手段によって、保護継電器試験切替装置に試験対象の保護継電器を挿入（セット）するだけで両器の接続ができ、しかも、ツマミネジ固定手段によるツマミネジ式接続によって、ツマミネジの締付のみで一括したコネクタ接続が可能となる。
【００２３】
請求項２の発明によれば、操作盤面に所要の要素切替名板を被せることにより、従来のように別の視線角度で要素回路図を見ながらでの複雑なスイッチ作業がなくなり、保護継電器の機種、試験要素毎のスイッチ切替位置や操作内容を、要素切替名板で指示する切替操作情報に基づいてスイッチの切替作業を行うことができるので、信頼性及び作業性の向上を図ることができる。
【００２４】
請求項２及び３の発明によれば、何れも、操作盤面に集約された切替手段の各種スイッチにより、各保護継電器の機種毎の試験要素の切替えを一括して行えることでき、切替操作が容易となり、電力継電器試験装置との入出力回路を自動構成させることができる。又、機種毎でのコネクタ差替え作業を省くことができる。
【図面の簡単な説明】
【図１】  本発明の切替装置と保護継電器及び試験装置との接続状態を示す斜視図である。
【図２】  本発明の切替装置の断面図である。
【図３】  本発明の試験装置との接続状態を示す斜視図である。
【図４】  本発明の受入手段の説明図である。
【図５】  本発明の切替装置の平面図である。
【図６】  本発明の試験回路図である。
【図７】  従来の切替装置の接続状態の外観を示す斜視図である。
【図８】  従来の試験回路図である。
【符号の説明】
１  保護継電器試験装置（試験装置）、４  保護継電器、１６  試験要素切替名板（要素切替名板）、１７  電流ロータリースイッチ、１８  電圧ロータリースイッチ、１９  トグルスイッチ、３０  受入手段、４３  外部接続コネクタ端子（継電器側コネクタ端子）、５０  ツマミネジ固定手段、６０  操作盤面、６１  刳り貫き穴、２００  保護継電器試験用切替装置、２０１  装置枠体、２０２  装置枠体側コネクタ端子（可動側コネクタ端子）。
【図１】
0003643357.tif 000002
【図２】
0003643357.tif 000003
【図３】
0003643357.tif 000004
【図４】
0003643357.tif 000005
【図５】
0003643357.tif 000006
【図６】
0003643357.tif 000007
【図７】
0003643357.tif 000008
【図８】
0003643357.tif 000009